(57)【特許請求の範囲】
【請求項１】
流体圧力を調整するための２段可変力ソレノイド制御バルブ（１０）であって、
単一のバルブ本体（１２）に形成されたバルブ制御ポート（２０）を通して流量増幅流体通路（１８）と流体連通する計量ランド（１６）を含むパイロット流体通路（１４）を有する単一のバルブ本体（１２）と、
パイロットバルブ部材（２２）のソレノイド動作式の作動に応じて前記バルブ制御ポート（２０）を加圧流体供給ポート（２６）におよび戻り排気ポート（２８）に選択的に接続するために、前記計量ランド（１６）に対する移動と協働するように動作可能な計量オリフィス（２４）を有する前記パイロット流体通路（１４）に配置されたソレノイド動作式パイロットバルブ部材（２２）と、
前記パイロットバルブ部材（２２）を通して制御された流体圧力に応じて荷重制御ポート（３２）を前記加圧流体供給ポート（２６）におよび前記戻り排気ポート（２８）に選択的に接続するために、一端（３０ａ）の前記バルブ制御ポート（２０）と流体連通する前記流量増幅流体通路（１８）に配置された流量増幅スプールバルブ部材（３０）と、
を備える２段可変力ソレノイド制御バルブ（１０）。
【請求項２】
前記バルブ本体（１２）が、
前記流量増幅スプールバルブ部材（３０）の往復運動のために、前記パイロットバルブ部材（２２）および前記流量増幅スプールバルブ部材（３０）を収容する単一の細長いバルブ本体（１２）をさらに備える請求項１に記載の制御バルブ（１０）。
【請求項３】
前記単一の細長いバルブ本体（１２）の共通の軸線に沿って移動可能な前記パイロットバルブ部材（２２）および前記流量増幅スプールバルブ部材（３０）をさらに備える請求項２に記載の制御バルブ（１０）。
【請求項４】
前記パイロット流体通路（１４）に隣接する前記パイロットバルブ部材（２２）に接続されたソレノイドアクチュエータ（３４）であって、前記ソレノイドアクチュエータ（３４）が、供給された電気エネルギーの大きさに応じて前記パイロットバルブ部材（２２）を移動させるように動作可能であるソレノイドアクチュエータ（３４）をさらに備える請求項１に記載の制御バルブ（１０）。
【請求項５】
前記パイロットバルブ部材（２２）を所定のパイロットバルブ位置に向かって付勢して、ゼロパイロット圧力を提供するためのパイロットバルブ付勢部材（３６）をさらに備える請求項１に記載の制御バルブ（１０）。
【請求項６】
前記流量増幅スプールバルブ部材（３０）を所定のスプールバルブ位置に向かって付勢して、パイロット段圧力よりも小さくオフセットされた第２段の制御圧力を提供するスプールバルブ付勢部材（３８）をさらに備える請求項１に記載の制御バルブ（１０）。
【請求項７】
流体圧力を調整するための２段可変力ソレノイド制御バルブ（１０）であって、
バルブ本体（１２）に形成されたバルブ制御ポート（２０）を通してパイロット流体通路（１４）と流体連通する計量ランド（１６）および流量増幅流体通路（１８）を有する前記パイロット流体通路（１４）を有する単一の細長いバルブ本体（１２）であって、前記バルブ本体（１２）が、前記パイロット流体通路（１４）におよび前記流量増幅流体通路（１８）に接続された加圧流体供給ポート（２６）、前記流量増幅流体通路（１８）に接続された荷重制御ポート（３２）、および前記流量増幅流体通路（１８）におよび前記パイロット流体通路（１４）に接続された戻り排気ポート（２８）を含む単一の細長いバルブ本体（１２）と、
前記パイロット流体通路（１４）に隣接する前記バルブ本体（１２）に接続できるソレノイド（３４）と、
前記バルブ本体（１２）の前記パイロット流体通路（１４）に配置されかつ前記ソレノイド（３４）に接続されたパイロットバルブ部材（２２）であって、前記ソレノイド（３４）が、供給された電気エネルギーの大きさに応じて前記パイロットバルブ部材（２２）を移動させるように動作可能であり、前記パイロットバルブ部材（２２）が、前記ソレノイド（３４）の作動に応じて前記加圧流体供給ポート（２６）と前記戻り排気ポート（２８）との間で流体連通する前記バルブ制御ポート（２０）を選択的に接続するために、前記バルブ本体（１２）の前記計量ランド（１６）に対する移動と協働するように動作可能な計量オリフィス（２４）を有するパイロットバルブ部材（２２）と、
一端（３０ａ）と前記バルブ制御ポート（２０）との間の膨張可能なチャンバーを画定するために、前記バルブ本体（１２）の前記流量増幅流体通路（１８）に配置され、かつ前記一端（３０ａ）の前記パイロットバルブ部材（２２）の前記計量ランド（１６）と関連する前記バルブ制御ポート（２０）と流体連通する流量増幅スプールバルブ部材（３０）であって、前記流量増幅スプールバルブ部材（３０）が、前記パイロットバルブ部材（２２）を通して制御される前記膨張可能なチャンバー内の流体圧力に応じて前記加圧流体供給ポート（２６）と前記戻り排気ポート（２８）との間で流体連通する荷重制御ポート（３２）を選択的に接続するためのものである流量増幅スプールバルブ部材（３０）と、
を備える２段可変力ソレノイド制御バルブ（１０）。
【請求項８】
前記パイロットバルブ部材（２２）を所定のパイロットバルブ位置に向かって付勢して、ゼロパイロット圧力を提供し、ソレノイド（３４）との接触を維持するためのパイロットバルブ付勢部材（３６）と、
前記流量増幅スプールバルブ部材（３０）を所定のスプールバルブ位置に向かって付勢して、パイロット段圧力よりも小さくオフセットされた第２段の制御圧力を提供するスプールバルブ付勢部材（３８）と、
前記ソレノイドを所定のソレノイド位置に向かって付勢するためのソレノイド付勢部材（４０）と、
をさらに備える請求項７に記載の制御バルブ（１０）。
【請求項９】
前記流量増幅バルブ部材（３０）が、
前記荷重制御ポート（３２）と前記戻り排気ポート（２８）との間の流体連通を開閉するために、前記バルブ制御ポート（２０）を通して作用する流体圧力に応じて前記バルブ本体（１２）に対する移動と協働するように動作可能な第１のランド（４２）であって、前記第１のランド（４２）が前記バルブ制御ポート（２０）と前記戻り排気ポート（２８）とを分離する第１のランド（４２）と、
前記加圧流体供給ポート（２６）と前記戻り排気ポート（２８）とを分離するために前記バルブ本体（１２）に対する移動と協働するように動作可能な第２のランド（４４）と、
前記荷重制御ポート（３２）と前記加圧流体供給ポート（２６）との間の流体連通を開閉するために、前記バルブ制御ポート（２０）を通して作用する流体圧力に応じて前記バルブ本体（１２）に対する移動と協働するように動作可能な第３のランド（４６）であって、前記第３のランド（４６）が、前記荷重制御ポート（３２）と、フィードバック圧力オリフィス（５０）を通して前記荷重制御ポート（３２）に流体連通するフィードバック圧力チャンバー（４８）とを分離する第３のランド（４６）と、
をさらに備える請求項７に記載の制御バルブ（１０）。
【請求項１０】
加圧流体供給ライン、戻り排気ライン、および荷重制御ラインを含む流体処理システムにおいて、流体圧力を調整するための２段可変力ソレノイド制御バルブ（１０）であって、
単一のバルブ本体（１２）であって、前記バルブ本体（１２）に形成されたバルブ制御ポート（２０）を通して流量増幅流体通路（１８）と流体連通する計量ランド（１６）を含むパイロット流体通路（１４）を有する単一のバルブ本体（１２）と、
パイロットバルブ部材（２２）のソレノイド動作式の作動に応じて、前記バルブ制御ポート（２０）を、加圧流体供給ポート（２６）を通して加圧流体供給ラインに、および戻り排気ポート（２８）を通して戻り排気ラインに選択的に接続するために、前記計量ランド（１６）に対する移動と協働するように動作可能な計量オリフィス（２４）を有する前記パイロット流体通路（１４）に配置されたソレノイド動作式パイロットバルブ部材（２２）と、
一端（３０ａ）の前記バルブ制御ポート（２０）と流体連通する前記流量増幅流体通路（１８）に配置されかつ前記一端（３０ａ）と前記バルブ制御ポート（２０）との間の膨張可能なチャンバーを画定する流量増幅スプールバルブ部材（３０）であって、前記流量増幅スプールバルブ部材（３０）が、前記パイロットバルブ部材（２２）を通して制御される前記膨張可能なチャンバー内の流体圧力に応じて、荷重制御ポート（３２）を通して荷重制御ラインを前記加圧流体供給ポート（２６）におよび前記戻り排気ポート（２８）に選択的に接続するためのものである流量増幅スプールバルブ部材（３０）と、
を備える流体圧力を調整するための２段可変力ソレノイド制御バルブ（１０）。
【請求項１１】
前記バルブ本体（１２）が、
前記流量増幅スプールバルブ部材（３０）の往復運動のために、前記パイロットバルブ部材（２２）および前記流量増幅スプールバルブ部材（３０）を囲む単一の細長いバルブ本体（１２）をさらに備える請求項１０に記載の流体圧力を調整するための２段可変力ソレノイド制御バルブ（１０）。
【請求項１２】
前記単一の細長いバルブ本体（１２）の共通の軸線に沿って移動可能な前記パイロットバルブ部材（２２）および前記流量増幅スプールバルブ部材（３０）をさらに備える請求項１１に記載の流体圧力を調整するための２段可変力ソレノイド制御バルブ（１０）。
【請求項１３】
前記パイロット流体通路（１４）に隣接する前記パイロットバルブ部材（２２）に接続されたソレノイドアクチュエータ（３４）であって、前記ソレノイドアクチュエータ（３４）が、ばね部材（４０）により前記パイロットバルブ部材（２２）に向かって付勢され、供給された電気エネルギーの大きさに応じて前記パイロットバルブ部材（２２）を移動させるように動作可能であるソレノイドアクチュエータ（３４）をさらに備える請求項１０に記載の流体圧力を調整するための２段可変力ソレノイド制御バルブ（１０）。
【請求項１４】
前記流量増幅スプールバルブ部材（３０）から離れる方向に前記パイロットバルブ部材（２２）を付勢して、ゼロパイロット圧力を提供し、アーマチュア（５２）との接触を維持するためのばね部材（３６）をさらに備える請求項１０に記載の流体圧力を調整するための２段可変力ソレノイド制御バルブ（１０）。
【請求項１５】
前記流量増幅スプールバルブ部材（３０）を前記バルブ制御ポート（２０）に向かって付勢して、パイロット段圧力よりも小さくオフセットされた第２段の制御圧力を提供するばね部材（３８）をさらに備える請求項１０に記載の流体圧力を調整するための２段可変力ソレノイド制御バルブ（１０）。
【発明の詳細な説明】
【技術分野】
【０００１】
本発明は、閉鎖要素の明確な所定の動きにより通路を閉じるかまたは通路を制限することによって通路内の流体圧力を調整するためのバルブおよびバルブ作動であって、電気エネルギーを使用して、移動可能な要素、すなわちバルブの位置を変化させ、通路または開口部を通る流動材料の流量を調整または制御するバルブアクチュエータの形態の手段と、供給された電気エネルギーの大きさに応じる力によってバルブを移動させるための、または供給された電気エネルギーの大きさに応じて圧力を調整するための手段とを有するバルブおよびバルブ作動に関し、ならびに作動手段を有する単一のバルブを用いて流体圧力を制御するための流体処理システムであって、単一のバルブが、３つ以上の圧力ラインとの連通を制御し、荷重制御ラインの相対圧力を決定するように配置されたアクチュエータを有し、単一のバルブが、パイロットバルブによって制御される流体圧力手段によって作動され、ここで、パイロットバルブが電力手段によって動作される流体処理システムに関する。
【背景技術】
【０００２】
ソレノイド動作式バルブを自動車に使用して、クラッチ機構または他の伝達構成要素等の多数の装置、または実質的に任意の他の液圧作動式車両システムを制御することができる。直動式のソレノイド動作式バルブを使用して、制御圧力に抗するバルブのパイロット圧力を制御することができる。これらのパイロットバルブは、多くの場合、装置のバルブ本体部分内で移動するスプールまたはピンバルブ部材の使用を取り入れることができる。スプールまたはピンバルブ部材は、ピンバルブ部材の中空部分に対してバルブ部材の供給ポートと制御ポートと排気ポートとの間の流体接続を提供するための通路を有する中空穴を有することができる。スプールまたはピンバルブ部材は、ポートから一方の方向への流体の流入を阻止することができかつ流体がバルブ部材の縁部と他のポートとの間で流れることを可能にするように僅かに開くことができる縁部を有することができる。このようにして、バルブ部材を通る流体流量の計量はピンバルブ部材の縁部および供給ポートで行うことができる。通常、直動式のソレノイド動作式圧力制御パイロットバルブからの制御された出力パイロット圧力は、適切なパイプまたは導管によって、制御されるべき第２段のバルブに接続される。このタイプの形態は、システムに割り当てられるべき追加の車内空間を必要とし、追加の材料重量を車両に加え、製造、輸送、保管および組み立てられるべきより多数の部品を組み込んでおり、そして車両を作りおよび／または点検修理するのに必要な組立時間および労力を増大させる。さらに、パイロットバルブと第２段のバルブとの間のパイプ長さに関連する荷重装置への圧力の到達に時間遅延を導入することによって、パイロットバルブと第２段のバルブとの間の可変のパイプ長さがシステムの性能に悪影響を与えることがある。その上、パイロットバルブと第２段のバルブとの間のパイプ長さに沿った漏れの可能性を大きくすることによっても、システムの性能に悪影響を与えることがある。空気ポケットの圧縮性による圧力過渡現象および効果的でない圧力送出を導入することによって、パイプ長さのあらゆる空気ポケットがシステムの性能に悪影響を与えることがある。
【発明の概要】
【課題を解決するための手段】
【０００３】
上述の現在の組立体と関連する課題を解決するために、圧力を調整するための２段可変力ソレノイド制御バルブを提供することが望ましいであろう。２段可変力ソレノイド制御バルブは、計量ランドを含むパイロット流体通路を有するバルブ本体を含むことができる。パイロット流体通路は、バルブ本体に形成された流量増幅バルブ制御ポートを通して流量増幅流体通路と流体連通することができる。バルブ本体は、パイロット流体通路におよび流量増幅流体通路に動作可能に接続された加圧流体供給ポートを含むことができる。荷重制御ポートは流量増幅流体通路に動作可能に接続することができ、戻り排気ポートは流量増幅流体通路におよびパイロット流体通路に動作可能に接続することができる。ソレノイドは、パイロット流体通路に隣接するバルブ本体に動作可能に接続することができる。パイロットバルブ部材は、バルブ本体のパイロット流体通路に配置されることができ、ソレノイドに動作可能に接続することができる。パイロットバルブ部材は、ソレノイドの作動に応じて加圧流体供給ポートと戻り排気ポートとの間で流体連通する流量増幅バルブ制御ポートを選択的に接続するために、バルブ本体の計量ランドと協働するように動作可能な計量オリフィスを有することができる。流量増幅バルブ部材は、バルブ本体の流量増幅流体通路に動作可能に配置されることができ、供給ポートと排気ポートとの間で流体連通する荷重制御ポートを選択的に接続するために一端のパイロットバルブ部材の流量増幅バルブ制御ポートと流体連通することができる。
【０００４】
本概念は、制御システムの性能を向上させて制御システムのコストを低減する既存のソレノイド技術の改良物である。この設計は、直動式の比例制御ソレノイドおよびパイロットタイプの２段比例ソレノイドの属性を１つの単一のソレノイド動作式バルブパッケージに組み合わせる。２つの属性を組み合わせ、単一のオリフィスパイロット調整器を用いて流量増幅バルブを制御することにより、改良物が提供される。この組み合わせは、漏れを最小にし、パイロットチャネル長さを低減し、パイロット回路における空気の捕捉を最小にする。結果として得られた組み合わせは、動的な液圧応答を改善し、下流荷重、調整バルブ、クラッチ等の制御能力を向上させ、既存の制御システムに必要な他の制御バルブを潜在的に排除する。その組み合わせは、パイロットバルブと第２段のバルブとの間の先のパイプ接続と関連する可変のサイズ、長さ、制限、および容積を排除することにより、パイロットバルブの動作に応じてバルブ制御ポートと流量増幅バルブ部材との間で画定される流量増幅バルブ制御通路および関連の膨張可能なチャンバーに関する正確な寸法制御および予測可能な挙動を可能にする。この組み合わせは、パイロットバルブと第２段のバルブとの間の先のパイプ接続と関連するあらゆる時間遅延、漏れ、圧力過渡現象、および効果的でない圧力送出を排除することもできる。望むならば、本設計は第２段のバルブの圧力利得の包含を許容する。
【０００５】
本発明を実施するために考慮される最良の形態の以下の説明を添付図面と関連して読むとき、本発明の他の用途が当業者に明らかになるであろう。
【０００６】
複数の図の全体にわたって同様の参照番号が同様の部分を指す添付図面を参照して、本発明について説明する。
【図面の簡単な説明】
【０００７】
【図１】本発明による通常高いタイプの２段可変力ソレノイド制御バルブの出力圧力が非通電時に高く、印加された電流の増大に従って減少される本発明による通常高いタイプの２段可変力ソレノイド制御バルブの側面図である。
【図２】図１の通常高いタイプの２段可変力ソレノイド制御バルブの断面図である。
【図３】通常低いタイプの２段可変力ソレノイド制御バルブの出力圧力が非通電時に低く、印加された電流の増大に従って増大される通常低いタイプの２段可変力ソレノイド制御バルブの断面図である。
【発明を実施するための形態】
【０００８】
次に、図１および図２を参照すると、流体圧力を調整するための通常高いタイプの２段可変力ソレノイド制御バルブ１０は、バルブ本体１２に形成されたバルブ制御ポート２０を通して流量増幅流体通路１８と流体連通する計量ランド１６を含むパイロット流体通路１４を有するバルブ本体１２を含むことができる。パイロット流体通路１４に配置されたソレノイド動作式パイロットバルブ部材２２は、パイロットバルブ部材２２のソレノイド動作式の作動に応じてバルブ制御ポート２０を加圧流体供給ポート２６におよび戻り排気ポート２８に選択的に接続するために、計量ランド１６と協働するように動作可能な計量オリフィス２４を含むことができる。流量増幅スプールバルブ部材３０は、パイロットバルブ部材２２を通る加圧流体流量に応じて荷重制御ポート３２を加圧流体供給ポート２６におよび戻り排気ポート２８に選択的に接続するために、一端３０ａのバルブ制御ポート２０と流体連通する流量増幅流体通路１８に配置することができる。パイロットバルブ部材２２は、バルブ制御ポート２０と流量増幅スプールバルブ部材３０の一端３０ａとの間に画定された膨張可能なチャンバー内の流体圧力を制御する。圧力を制御して、流量増幅スプールバルブ部材３０の端部３０ａに隣接する関連の膨張可能なチャンバーをパイロットバルブ部材２２により膨張および収縮させることによって、流量増幅流体通路１８内における流量増幅スプールバルブ部材３０の往復運動に応じて、流量増幅流体通路１８から出力された流体圧力全体の制御が行われる。
【０００９】
バルブ本体１２は、流量増幅スプールバルブ部材３０の往復運動のために、パイロットバルブ部材２２および流量増幅スプールバルブ部材３０を収容する単一の細長いバルブ本体１２によって規定することができる。パイロットバルブ部材２２および流量増幅スプールバルブ部材３０は、単一の細長いバルブ本体１２の共通の軸線に沿って移動可能であることができる。ソレノイドアクチュエータ３４は、パイロット流体通路１４に隣接するパイロットバルブ部材２２に動作可能に接続することができる。ソレノイドアクチュエータ３４は、供給された電気エネルギーの大きさに応じてパイロットバルブ部材２２を移動させるように動作可能であることができる。パイロットバルブ付勢部材３６はパイロットバルブ部材２２を所定のパイロットバルブ位置に向かって付勢することができる。一例であり、限定的なものではないが、図２に示すように、パイロットバルブ部材２２はソレノイドアクチュエータ３４と接触するように付勢される。スプールバルブ付勢部材３８は流量増幅スプールバルブ部材３０を所定のスプールバルブ位置に向かって付勢することができる。一例であり、限定的なものではないが、図２に示すように、荷重制御ポート３２と加圧流体供給ポート２６と戻り排気ポート２８との間の流体連通を閉じるために、スプールバルブ部材３０がバルブ制御ポート２０に向かって付勢される。ソレノイド付勢部材４０はソレノイドアーマチュア５２をアーマチュア５２の所定のソレノイド位置に向かって付勢することができる。一例であり、限定的なものではないが、図２に示すように、ソレノイドアーマチュア５２はパイロットバルブ部材２２と接触するように付勢される。通常高いタイプの制御バルブ１０は、ソレノイド３４の非通電時に、高い流体圧力を維持して制御ポート２０に荷重を加える。
【００１０】
流量増幅スプールバルブ部材３０は、荷重制御ポート３２と戻り排気ポート２８との間の流体連通を開閉するために、バルブ制御ポート２０を通して作用する流体圧力に応じてバルブ本体１２に対する移動と協働するように動作可能な第１のランド４２を含むことができる。第１のランド４２はバルブ制御ポート２０と戻り排気ポート２８とを分離することができる。スプールバルブ部材３０の第２のランド４４は、スプールバルブ部材３０の移動範囲全体を通して加圧流体供給ポート２６と戻り排気ポート２８とを分離するために、バルブ本体１２と協働するように動作可能であることができる。スプールバルブ部材３０の第３のランド４６は、荷重制御ポート３２と加圧流体供給ポート２６との間の流体連通を開閉するために、バルブ制御ポート２０を通して作用する流体圧力に応じてバルブ本体１２に対する移動と協働するように動作可能であることができる。第３のランド４６も、荷重制御ポート３２と、フィードバック圧力オリフィス５０を通して荷重制御ポート３２に流体連通するフィードバック圧力チャンバー４８とを分離することができる。
【００１１】
２段可変力ソレノイド制御バルブは、加圧流体供給ライン、戻り排気ライン、および圧力を調整するための荷重制御ラインを含む流体処理システムに組み込むことができる。流体処理システムは、クラッチ機構、または他の伝達構成要素、または実質的に任意の他の液圧作動式車両システムであることができる。より詳細に上述したように、バルブ本体１２は、バルブ本体１２に形成されたバルブ制御ポート２０を通して流量増幅流体通路１８と流体連通する計量ランド１６を含むパイロット流体通路１４を有することができる。パイロット流体通路１４に配置されたソレノイド動作式パイロットバルブ部材２２は、パイロットバルブ部材２２のソレノイド動作式の作動に応じてバルブ制御ポート２０を、加圧流体供給ポート２６を通して加圧流体供給ラインに、および戻り排気ポート２８を通して戻り排気ラインに選択的に接続するために、計量ランド１６と協働するように動作可能な計量オリフィス２４を有することができる。流量増幅スプールバルブ部材３０は、パイロットバルブ部材２２を通る加圧流体流量に応じて、荷重制御ポート３２を通して荷重制御ラインを加圧流体供給ポート２６におよび戻り排気ポート２８に選択的に接続するために、一端３０ａのバルブ制御ポート２０と流体連通する流量増幅流体通路１８に配置することができる。
【００１２】
単一の細長いバルブ本体１２は、流量増幅スプールバルブ部材３０の往復運動のために、パイロットバルブ部材２２および流量増幅スプールバルブ部材３０を囲むことができる。パイロットバルブ部材２２および流量増幅スプールバルブ部材３０は、単一の細長いバルブ本体１２の共通の軸線に沿って移動可能であることができる。ソレノイドアクチュエータ３４は、パイロット流体通路１４に隣接するパイロットバルブ部材２２に動作可能に接続することができる。ソレノイドアクチュエータ３４は、ばね部材４０によりパイロットバルブ部材２２に向かって付勢されることができ、供給された電気エネルギーの大きさに応じてパイロットバルブ部材２２を移動させるように動作可能であることができる。ばね部材３６は、流量増幅スプールバルブ部材３０から離れる方向にパイロットバルブ部材２２を付勢して、ゼロパイロット圧力を提供し、アーマチュア５２との接触を維持することができる。一方、ばね部材３８は、流量増幅スプールバルブ部材３０をバルブ制御ポート２０に向かって付勢して、パイロット段圧力よりも小さくオフセットされた第２段の制御圧力を提供し、出力された利得線形性を向上させてシステム流体汚染感度を低減することができる。
【００１３】
２段可変力ソレノイド制御バルブ１０は、閉じられたバルブ位置および完全に開いたバルブ位置に対応する位置の間における、電磁コイル５８への印加電流に応じた往復運動のために、中空の円筒形状ボビン５６のアパーチャまたは穴５４の中にあるアーマチュア５２の反対側端部の低ばね定数のばね３６、４０によって吊り下げられた強磁性でロッド状の中実な円筒形状アーマチュア５２を含むことができる。アーマチュア５２の位置は、アーマチュア５２を付勢してパイロットバルブ部材２２に係合させてパイロットバルブ部材２２を閉鎖位置に向かわせる圧縮コイルばね４０の力に対して、電磁コイル５８の電磁場の可変力を均衡させることによって制御される。ハウジング６０がアーマチュア５２の電磁場の磁束集中を提供するように、電磁コイル５８、ボビン５６およびアーマチュア５２がソレノイドハウジング６０に存在する。流体制御パイロットバルブ部材２２は、圧縮コイルばね３６の付勢に応じてアーマチュア５２の一端に係合し、バルブ本体１２に配置されたバルブシートまたは計量ランド１６に対して移動して、加圧流体供給ポート２６および戻り排気ポート２８をバルブ制御ポート２０に選択的に連通させ、印加された電流の大きさに応じてバルブ制御ポート２０の流体圧力を調整する。
【００１４】
２段能力を提供するために、流量増幅スプールバルブ部材３０をバルブ本体１２に配置することができる。動作の１つの段は、パイロットバルブ部材２２の移動を制御するコイル５８に供給された電流およびバルブ制御ポート２０に送出された対応する流体圧力の大きさに応じて、最小圧力出力スプール位置と最大圧力出力スプール位置との間でスプールバルブ部材３０を移動させることにより、荷重制御ポート３２を通して出力された流体圧力を制御するステップを含む。スプールバルブ部材３０の第３のランド４６は荷重制御ポート３２とフィードバック圧力チャンバー４８とを分離する。フィードバック圧力チャンバー４８は、フィードバック圧力オリフィス５０を通して荷重制御ポート３２と流体連通する。動作の他の段は、パイロットバルブ部材２２の移動を制御するコイル５８に供給された電流およびバルブ制御ポート２０に送出された対応する流体圧力の大きさに応じて、最小圧力スプール位置と最大圧力スプール位置との間でスプールバルブ部材３０を移動させることにより、戻り排気ポート２８を通して出力された流体圧力を制御するステップを含む。コイル５８の通電に応じたアーマチュア５２の移動方向および対応するバルブ機能は、バルブが、通常高いタイプ（図２に示すような）としてまたは通常低いタイプ（図３に示すような）として構成されるかどうかに依存する。
【００１５】
次に、図３を参照すると、流体圧力を調整するために本発明に従って、通常低いタイプの２段可変力ソレノイド制御バルブ１０も提供できることを認識されたい。通常低いタイプの２段可変力ソレノイド制御バルブ１０は、付勢ばね４０の排除、パイロットバルブ部材２２の伸長、およびコイル５８の通電時におけるアーマチュア５２の動作方向を除いて、上述の通常高いタイプの制御バルブ１０の構造と同一である。上述の説明では、通常高いタイプの制御バルブ１０と通常低いタイプの制御バルブ１０との間における列挙した種々の共通の構成要素の詳細な説明を参照することができる。動作時、通常低いタイプの制御バルブ１０は、ソレノイド３４の非通電時に、荷重制御ポート３２で維持されている低い流体圧力に対応する低い流体圧力をバルブ制御ポート２０で維持する。
【００１６】
通常低い制御圧力および通常高い制御圧力は、ソレノイドが非通電状態になっていることを指す。ソレノイドに発生した力は、通常低い制御圧力バルブのための開口点または通常高い制御圧力バルブのための閉鎖点の間の関数関係を生成する大きさに制限される。ソレノイド機構は磁気パッケージに関する２つの異なる形態を含み、一方、アーマチュアの動きは、線形ソレノイドが、通常高いまたは通常低いタイプのバルブ組立体パッケージの部分であるかどうかに依存して反対方向にある。力が均衡されたとき（すなわち、ばねからの正味のばね力と入口からの圧力とを足したものが磁力に等しいとき）、アーマチュアが安定し、所望の流量がバルブシートを通して確立される。流速が通電状態と非通電状態との間のある時点で最大になるような低い漏れ挙動を有する所望の制御圧力が達成される。通常高いバルブ組立体および通常低いバルブ組立体が、実質的に比例した直線を提供するように、結果として得られた流量対電流の曲線が釣鐘曲線と似ている。２つのばねを使用することにより、正味の予荷重を規定して、通常閉じられているバルブを開くか、または通常開いているバルブを閉じるのに必要な開口点電流を低下させることができる。一例であり、限定的なものではないが、流量増幅バルブ部材３０と荷重制御ポート３２との圧力出力利得率は１：１で示される。しかし、適切に寸法決めされて段階付けされた流量増幅バルブ部材３０により、１：１以外の圧力利得率を組立体に取り入れて、荷重制御ポート３２の所望の圧力出力を提供できることを認識されたい。
【００１７】
現在、最も実用的かつ好ましい実施形態とみなされるべきものに関連して、本発明について説明してきたが、本発明が、開示した実施形態に限定されるべきではなく、逆に、添付の特許請求の範囲の精神および範囲内に含まれる種々の修正および等価構成を網羅するように意図され、前記範囲が、法の下で可能なかぎり、全てのこのような修正および等価構造を包含するように最も広範な解釈を許容すべきであることを理解すべきである。
【図１】
0006023093.tif 000002
【図２】
0006023093.tif 000003
【図３】
0006023093.tif 000004